(57)【要約】【課題】本発明は、塗料やオイル等が入った、重いペール缶および一斗缶の扱いを楽に行える、缶スタンドを提供する。【解決手段】スタンド基体（１）に、補強板（２）で固定して支持された、主枠体（３）を設ける。これに缶（４）を支承しつつ傾動自在の、ハンドル部（５）を付けた、傾動体（６）を設ける。さらにこの傾動体（６）に、嵌入した缶（４）の底を支持する、ゴムパッキン（７）を貼付けた、缶支持体（８）を設ける。またその缶（４）の頂部を押さえて支持する、缶頂部固定体（９）を設ける。さらに缶（４）の前面を支持するための、着脱できる、中央部分に凹部（１１）を設けた、缶止バー（１０）を装着する。これにより缶（４）の注液口位置が、缶止バー（１０）側の上部位置に固定される。最後にスタンド基体（１）にキャスター（１２）を設ける。【選択図】図１
2010280440.tif 000002
【特許請求の範囲】
【請求項１】
スタンド基体（１）に、補強板（２）で固定して支持された、主枠体（３）を設け、これに缶（４）を支承しつつ傾動自在の、ハンドル部（５）を付けた、傾動体（６）を設ける、さらにこの傾動体（６）に、嵌入した缶（４）の底を支持する、ゴムパッキン（７）を貼付けた、缶支持体（８）を設け、またその缶（４）の頂部を押さえて支持する、缶頂部固定体（９）を設ける、さらに缶（４）の前面を支持するための、着脱できる、中央部分に凹部（１１）を設けた、缶止バー（１０）を装着する、これにより缶（４）の注液口位置が、缶止バー（１０）側の上部位置に固定される、最後にスタンド基体（１）にキャスター（１２）を設ける、以上のごとく形成したことを特徴とする、缶支承スタンド。
【発明の詳細な説明】
【技術分野】
【０００１】  本発明は、重い、ペール缶や一斗缶に入っているオイル等の、取り出し注ぎ込み作業や、使用中の缶の一時保管に便利な、スタンドの技術に関するものである。
【背景技術】
【０００２】  従来、ペール缶および一斗缶からの注液作業は、持ち上げておいて傾けて行われる事が常であり、これは約２０Ｋｇ近い重量物を扱っていた。
【発明の開示】
【発明が解決しようとする課題】
【０００３】  現在、オートバイ、自動車整備工場等はオイル類を多量に使用するので、ペール缶や一斗缶単位で、缶から注入する必要がある。この為、重い缶を持ち上げたりする事は、大変であった。しかし近年は缶の注液口に、ポンプ付ホース等を差し込んで、他の容器に移し替えたりしていた。また、登録実用新案・第３０００５７７号のごとく角缶等の一斗缶専用の角缶支承スタンドがある。これらは、容器に移し替えたりする作業が増えたり、またいままでより便利ではあるが角缶専用で、ペール缶等の丸缶は取り扱いできなかったりで、作業者にとっても使い勝手に不足感があった。
これら課題を解決するために本発明はなされたのである。
【課題を解決するための手段】
【０００４】  本発明は出来る限りの簡単構成で、ローコストに形成したものである。
まず、全体を支える基礎部分のスタンド基体（１）に、補強板（２）で固定して支持された、縦に伸びる主枠体（３）を設ける。これに缶（４）を支承しつつ傾動自在の、ハンドル部（５）を付けた、傾動体（６）を設ける。この傾動体（６）は図１のごとくボルト軸（１２）を通して形成され、軸から抜けないように固定され、且つ軸を中心に傾動する構成になっている。さらにこの傾動体（６）に、嵌入した缶（４）の底を支持する、ゴムパッキン（７）を貼付けた、缶支持体（８）を設ける。この缶支持体（８）もまた、このボルト軸（１２）に固定する。またその缶（４）の頂部を押さえて支持する、缶頂部固定体（９）を設ける。さらに缶（４）の前面を支持するための、着脱できる、中央部分に凹部（１１）を設けた、缶止バー（１０）を装着する。この凹部（１１）は一斗缶等の角部分を固着させるために設けてある。このような構成により、缶（４）の注液口（１３）の位置は、缶止バー（１０）の上部位置にあり、つまり缶止バー（１０）の固定位置は、缶の縦寸法の約１／２のところになる。本発明によれば基本的には、ペール缶と一斗缶を嵌入して搭載する、傾動体（６）が２個設けられた、２缶用がベストである。最後に、スタンド基体（１）にキャスター（１４）を設ける。
本発明は以上のような構成および特徴からなる、缶支承スタンドある。
【発明の効果】
【０００５】  ペール缶や一斗缶およびキューブＢＯＸ等を、２段に置けるので作業場などの、省スペース化に役立。またオイル、ケミカル品、塗料などの辛い小分け作業から解放される。そして、レバーを傾けるだけなので、女性でもらくらく、オイル等を缶から取り出す事ができる。またキャスターが付いているので、移動も簡単である。
【発明を実施するための最良の形態】
【０００６】  本構成は、全体を確実に支える基礎部分のスタンド基体（１）に、補強板（２）で固定して支持された、縦に伸びる主枠体（３）を設ける。この主枠体（３）は全体の重心位置にセットする必要があり、つまりスタンド基体（１）の中心位置に設けられている。これに缶（４）を支承しつつ傾動自在の、ハンドル部（５）を付けた、傾動体（６）を設ける。この傾動体（６）は図１のごとくボルト軸（１２）を通して装着されて、軸から抜けないように軸端面には、抜け止めのナットが設けられている。そしてこの軸を中心に傾動する構成になっている。さらにこの傾動体（６）に、嵌入した缶（４）の底を支持する、滑り止めのゴムパッキン（７）を貼付けた、缶支持体（８）を設ける。この缶支持体（８）もまた、このボルト軸（１２）に固定する。またこの缶（４）の頂部を押さえて支持する、缶頂部固定体（９）を設ける。これで缶支持体（８）と缶頂部固定体（９）により、缶は上下に押さえられて、缶を傾動させても安定して保持される。さらに缶（４）の前面を支持するための、着脱できる、中央部分に凹部（１１）を設けた、缶止バー（１０）を装着する。この凹部（１１）は一斗缶等の角部分を固着させるために設けてある。このような構成により、缶（４）の注液口（１３）の位置は、缶止バー（１０）の上部位置にあり、つまり缶止バー（１０）の固定位置は、缶の縦寸法のおよそ約１／２のところになるのが良いであろう。本発明によれば基本的には、ペール缶と一斗缶を嵌入して搭載する、傾動体（６）が２段設けられた、２缶用がベストである。最後に、スタンド基体（１）にキャスター（１４）を設け、移動を可能とする。
本発明は以上のような構成であり、これを使用実施するときには、【０００７】  作業場等には、運んできたスタンドに、図１のごとく、一斗缶とペール缶を、缶止バー（１０）を外して、傾動体（６）の缶支持体（８）に缶の底部を乗せて、缶の頭部を缶頂部固定体（９）で押さえて止める。このように嵌入してから、缶止バー（１０）で缶前面を押さえて固定する。一斗缶のような四角缶の場合は、缶の角が缶止バー（１０）の凹部（１１）に合わせてから止める。後は、缶（４）の注液口（１３）の蓋を開けて、傾動体（６）のハンドル部（５）を握り、缶を傾けて倒せばよいのである。
【図面の簡単な説明】
【０００８】
【図１】    本発明の缶を嵌入した状態の斜視図である。
【符号の説明】
【０００９】    １  スタンド基体
２  補強板
３  主枠体
４  缶
５  ハンドル部
６  傾動体
７  ゴムパッキン
８  缶支持体
９  缶頂部固定体
１０  缶止バー
１１  凹部
１２  ボルト軸
１３  注液口
１４  キャスター
【図１】
2010280440.tif 000003